(57)【特許請求の範囲】
【請求項１】
手摺り棒に内装された光源の光を外部に向けて発する照明装置であって、
端部に開口部を有する中空の棒形状をなして前記手摺り棒を構成するとともに前記光源の光が通過し得る透光穴が形成される本体部と、
前記光源として複数の発光ダイオードを列状に実装するとともに前記本体部内に収容可能な短冊形状に形成される光源ユニットと、
前記本体部内に収容可能な長板状に形成されて前記複数の発光ダイオードが実装されていない非実装面側から前記光源ユニットのほぼ全面を支持して固定する支持部と、
前記光源ユニットの光を前記透光穴を介して外部に出射可能に前記透光穴に挿入可能な導光凸部を有するとともに前記支持部に固定された前記光源ユニットの出光側を覆うように前記支持部に取り付けられ、前記本体部内に収容されると前記導光凸部が前記透光穴に挿入される光学部材と、
前記本体内に収容可能な長さの棒形状に形成され、前記光学部材、前記光源ユニットおよび前記支持部を収容した前記本体部の前記開口部から挿入されると、前記光学部材、前記光源ユニットおよび前記支持部を、前記支持部の非支持面側から前記透光穴の方向に押圧する押圧部と、
を備えることを特徴とする照明装置。
【請求項２】
前記光学部材は、長板状に形成される前記支持部の両端に取り付け固定され、少なくとも前記支持部の長手方向ほぼ中央において、前記光学部材と前記支持部との間に弾性部材が介在することを特徴とする請求項１に記載の照明装置。
【請求項３】
前記押圧部は、断面形状がＬ字形状をなす棒状のＬアングル部材であり、このＬアングル部材の角部が前記本体部の内壁に当接するように、前記開口部から挿入されることを特徴とする請求項１または２に記載の照明装置。
【請求項４】
前記Ｌアングル部材は、長手方向に２分割されており、前記本体部の両側端部に形成される両端開口部からそれぞれ挿入されることを特徴とする請求項３に記載の照明装置。
【請求項５】
前記光学部材と前記光源ユニットとの間には、前記光学部材が前記光源ユニットを間接的に押圧し得る緩衝部材が介在していることを特徴とする請求項１〜４のいずれか一項に記載の照明装置。
【請求項６】
前記光学部材の導光凸部は、その先端面が前記透光穴の開口面に対してほぼ面一になるように前記透光穴に挿入されていることを特徴とする請求項１〜５のいずれか一項に記載の照明装置。
【発明の詳細な説明】
【技術分野】
【０００１】
本発明は、手摺り棒に内装された光源の光を外部に向けて発する照明装置に関するものである。
【背景技術】
【０００２】
手摺り棒に内装された光源の光を外部に向けて発する照明装置として、例えば、下記特許文献１に開示される『屋内用のスポット照明手摺り』がある。これには、アルミ押出管とその光透過性カバーチューブとから成る手摺り本体の中空内部を、ＬＥＤ配線基板用受け入れ溝レールの向かい合う一対として押出成形し、予じめ複数のＬＥＤが取り付けられたＬＥＤ配線基板を手摺り本体の受け入れ溝レール内へ、その両端部が手摺り本体受け持ち用エンドブラケットの中空内部まで張り出す延長状態に差し込み敷設する技術が開示されている。
【先行技術文献】
【特許文献】
【０００３】
【特許文献１】特開２００５−９０９３号公報
【発明の概要】
【発明が解決しようとする課題】
【０００４】
しかしながら、上記特許文献１に開示される技術によると、ＬＥＤ配線基板を受け入れ可能な溝レールを手摺り本体の中空内部に形成しそれにＬＥＤ配線基板を差し込んで手摺り本体内で固定する。このため、次の(1)〜(3)に挙げるような問題点が生じ得る。
【０００５】
(1)アルミ押出管は、手摺り本体を構成することから長尺にならざるを得ず、このような溝レールを撓みやガタつきがないように均一に成形することは難しい。このため、ＬＥＤ配線基板を当該溝レールに差し込んでも、溝と基板との間に隙間ができる可能性が高く、ＬＥＤ配線基板のガタつき等を防止するため当該隙間を埋める別部材が必要となり、構成が複雑になるとともに組付時の作業性の低下をも招いてしまう。
【０００６】
(2)また、このような溝レールに差し込むＬＥＤ配線基板も長尺にならざるを得ないことから、基板自体にも反りや撓みが生じ得る。このため、たとえ撓みやガタつきがないようにアルミ押出管の溝レールを均一に押出成形できたとしても、当該溝レールの一端側から差し込む際に、基板の反り等により生じる摩擦抵抗によって基板の差込作業が難しくなり組付時の作業性を悪くする。
【０００７】
(3)さらに、このような溝レールは、手摺り本体の押出成形により形成する必要があることから、専用の金型を設けるために設備コストの増加を招く。
【０００８】
本発明は、上述した課題を解決するためになされたもので、簡素な構成で組付時の作業性を向上し得る照明装置を提供することを目的とする。
【課題を解決するための手段】
【０００９】
本発明は、「手摺り棒に内装された光源の光を外部に向けて発する照明装置であって、端部に開口部を有する中空の棒形状をなして前記手摺り棒を構成するとともに前記光源の光が通過し得る透光穴が形成される本体部と、前記光源として複数の発光ダイオードを列状に実装するとともに前記本体部内に収容可能な短冊形状に形成される光源ユニットと、前記本体部内に収容可能な長板状に形成されて前記複数の発光ダイオードが実装されていない非実装面側から前記光源ユニットのほぼ全面を支持して固定する支持部と、前記光源ユニットの光を前記透光穴を介して外部に出射可能に前記透光穴に挿入可能な導光凸部を有するとともに前記支持部に固定された前記光源ユニットの出光側を覆うように前記支持部に取り付けられ、前記本体部内に収容されると前記導光凸部が前記透光穴に挿入される光学部材と、前記本体内に収容可能な長さの棒形状に形成され、前記光学部材、前記光源ユニットおよび前記支持部を収容した前記本体部の前記開口部から挿入されると、前記光学部材、前記光源ユニットおよび前記支持部を、前記支持部の非支持面側から前記透光穴の方向に押圧する押圧部と、を備える」照明装置である。
【００１０】
本発明によると、本体部、光源ユニット、支持部、光学部材および押圧部を備え、本体部内に収容された「光学部材、光源ユニットおよび支持部」を支持部の非支持面側から透光穴の方向に押圧可能な棒形状に形成される押圧部を、本体部の開口部から本体部内に収容する。「光学部材、光源ユニットおよび支持部」は、光源ユニットが支持部に固定され、光学部材は光源ユニットの出光側を覆うように支持部に取り付けられていることから、これらが一体となって収容されている本体部内に、押圧部が開口部から挿入されると、この押圧部によって支持部の非支持面側から透光穴の方向に押圧されるため、光学部材の導光凸部が本体部の透光穴に挿入された状態を維持する。これにより、光学部材は本体部の長手(軸)方向にも短手(径)方向にも移動不能に固定されるため、一体に組み付けられている「光学部材、光源ユニットおよび支持部」は本体部内で固定される。
【００１１】
また、本発明の照明装置は、「前記光学部材は、長板状に形成される前記支持部の両端に取り付け固定され、少なくとも前記支持部の長手方向ほぼ中央において、前記光学部材と前記支持部との間に弾性部材が介在する」構成とすることもできる。
【００１２】
この構成によると、光学部材と支持部との間に隙間が形成されていても、支持部の長手方向ほぼ中央において両者間に弾性部材が介在することから、押圧部により「光学部材、光源ユニットおよび支持部」が透光穴の方向に押圧されると、この弾性部材は押しつぶされるように弾性変形して隙間を埋める。このため、外部から光学部材の導光凸部を本体部の内側に押し込むような力が働いても、導光凸部は透光穴に挿入された状態を維持しながらガタつくこともない。したがって、導光凸部が凸凹になり難いため、簡素な構成で組付時の作業性を向上できることに加えて、意匠性をも向上することができる。
【００１３】
また、本発明の照明装置は、「前記押圧部は、断面形状がＬ字形状をなす棒状のＬアングル部材であり、このＬアングル部材の角部が前記本体部の内壁に当接するように、前記開口部から挿入される」構成とすることもできる。
【００１４】
この構成によると、Ｌアングル部材の角部を中心にしてＬ字形状の両足の両端または両足の内側で支持部を押圧するため、例えば断面形状がコ字形状をなす棒状部材で押圧する場合に比べて、Ｌ字形状の両足にほぼ均一な加圧力で支持部を透光穴の方向に押し出すことが可能となる。したがって、アンバランスに支持部が押圧された場合に傾きがちな導光凸部の傾きが抑制されるので、透光穴に挿入される導光凸部の向きを適正にでき、意匠性をさらに向上させることができる。
【００１５】
また、本発明の照明装置は、「前記Ｌアングル部材は、長手方向に２分割されており、前記本体部の両側端部に形成される両端開口部からそれぞれ挿入される」構成とすることもできる。
【００１６】
この構成によると、Ｌアングル部材の長さが半減するので、挿入時の摩擦抵抗を軽減することが可能となる。したがって、簡素な構成で組付時の作業性を一層向上することができる。
【００１７】
また、本発明の照明装置は、「前記光学部材と前記光源ユニットとの間には、前記光学部材が前記光源ユニットを間接的に押圧し得る緩衝部材が介在している」構成とすることもできる。
【００１８】
この構成によると、光学部材が緩衝部材を介して光源ユニットを支持部側に押圧しているので、支持部による光源ユニットの固定が多少緩んでも光源ユニットが支持部から外れるのを抑制可能となる。また、緩衝部材を介在させることにより光源ユニットを押さえる突起や凸部等を光学部材に設ける必要がない。したがって、光源ユニットの金型による設備コストを低減することも可能となる。
【００１９】
また、本発明の照明装置は、「前記光学部材の導光凸部は、その先端面が前記透光穴の開口面に対してほぼ面一になるように前記透光穴に挿入されている」構成とすることもできる。
【００２０】
この構成によると、透光穴に挿入された導光凸部が透光穴から突出したり窪んだりすることがないので、本体部の外周壁に凹凸ができ難い。したがって、当該手摺りに手を掛けた利用者に対して凹凸による違和感を与え難くすることができ、また意匠性も一層向上させることができる。
【発明の効果】
【００２１】
以上のように、本発明によれば、光学部材は本体部の長手(軸)方向にも短手(径)方向にも移動不能に固定されるため、一体に組み付けられている「光学部材、光源ユニットおよび支持部」は本体部内で固定される。つまり、棒形状に形成される押圧部を本体部の開口部から挿入するだけで、先に本体部内に収容された「光学部材、光源ユニットおよび支持部」を容易に固定することが可能となる。したがって、本体部内に溝レール等を形成することなく、簡素な構成で組付時の作業性を向上することができる。
【図面の簡単な説明】
【００２２】
【図１】本発明の一実施形態に係る手摺り棒の構成例を示す斜視図である。
【図２】本実施形態の手摺り棒の構成例を示す六面図で、紙面上段は平面、紙面中段は左から左側面，正面，右側面，背面、紙面下段は底面、をそれぞれ示すものである。
【図３】図２に示すIII−III線矢視方向（軸方向）の断面を示す断面図である。
【図４】図４(a)は図３に示すIV−IV線矢視方向（径方向）の断面を示す断面図で、図４(b)は同断面相当で他の構成例を示した断面図である。
【図５】本実施形態の手摺り棒を構成するレンズ、ＬＥＤユニットおよび取付金具の端部の構成例を示す図で、図５(a)は軸方向の断面、図５(b)は図５(a)に示すV−V線矢視方向（径方向）の断面、図５(c)はＬＥＤユニットからレンズおよびスポンジを取り除いた状態における正面をそれぞれ示すものである。
【図６】本実施形態の手摺り棒を構成するＬＥＤユニット等の組付手順を示す説明図である。
【図７】本実施形態の手摺り棒の組付手順を示す説明図である。
【図８】本実施形態の手摺り棒の組付手順を示す説明図で、図７に示すVIII−VIII線矢視方向（径方向）の断面を示すものである。
【図９】本実施形態の手摺り棒を鉄道車両のデッキの壁に取り付けた例を示す説明図である。
【発明を実施するための形態】
【００２３】
以下、本発明の照明装置を鉄道車両のデッキ内に設けられる手摺り棒に適用した実施形態を各図を参照して説明する。まず、本実施形態に係る手摺り棒１０の外観構成を図１〜図３に基づいて説明する。なお、図１には手摺り棒１０の斜視図、図２には手摺り棒１０の六面図（正面図、背面図、左側面図、右側面図、平面図、底面図）、がそれぞれ図示されている。また図３には、図２に示すIII−III線矢視による断面図が図示されている。
【００２４】
図１および図２に示すように、手摺り棒１０の外観は、利用者が手を掛け得る保護棒１１と、その両端に設けられるキャップ１３と、この保護棒１１を被固定体に固定する端部取付座１５および中央取付座１６と、レンズ２１と、から構成されている。
【００２５】
保護棒（本体部）１１は、例えばアルミニウムからなる規格品の円筒パイプで、その表面は着色アルマイトにより任意の色に着色されている。この保護棒１１の両端には、端部取付座１５をネジ止め固定し得る貫通孔が形成されており、またほぼ中央には、中央取付座１６をネジ止め固定し得る貫通孔１１ｃが形成されている（図３参照）。
【００２６】
この保護棒１１には、軸方向に線条をなすレンズ穴（透光穴）１１ｂが２箇所に形成されている。即ち、長穴形状のレンズ穴１１ｂが前述した端部取付座１５および中央取付座１６の取り付け箇所を除いて、これらの取り付け方向を向くように開口して形成されている。このレンズ穴１１ｂは、当該保護棒１１の内外を連通する貫通穴で、後述するように保護棒１１内に収容されるレンズ２１の一部を外部に露出し得るように構成されている。そのため、図１および図２においては、レンズ穴１１ｂの形成範囲に線条に延びるレンズ２１が現れている。
【００２７】
図２および図３に示すように、キャップ１３は、保護棒１１の両端に開口する開口部１１ａを閉塞する円柱形状をなす栓状の蓋で、保護棒１１と同様に例えばアルミニウムからなる。本実施形態では、キャップ１３の外周に環状溝を形成しこの環状溝内に接着剤を流し込むことで、保護棒１１に対して接着固定可能にしている。なお、キャップ１３の外周に雄ネジ部を形成しこれに螺合可能なタップ（雌ネジ）を開口部１１ａの内周に形成してネジ止め可能にしても良い。
【００２８】
端部取付座１５および中央取付座１６は、保護棒１１を被固定体（例えば鉄道車両のデッキを区画形成する内側壁）に所定の間隔をおいて固定するための取付金具で、一端側が保護棒１１に、他端側が被固定体に、それぞれ当接し得る形状に、例えばアルミダイカストを素材として成形されている。図３に示すように、これらの取付座１５，１６は、後述するように、保護棒１１内のネジ座４３を介してボルト１７により保護棒１１に取り付けられる。なお、本実施形態では、意匠性を高めるため、丸味を有するように横断面形状が小判形状に形成されており、また保護棒１１と同色に着色されている。
【００２９】
また、端部取付座１５および中央取付座１６には、後述するように、手摺り棒１０を被固定体に固定するための車体取付用の所定タップが形成されており、被固定体側からこのタップに螺合する所定ボルトにより端部取付座１５および中央取付座１６をネジ締結可能に構成されている。
【００３０】
なお、端部取付座１５は、保護棒１１をその両端で被固定体に固定することを主な目的としているのに対し、中央取付座１６は、保護棒１１が長尺であるために生じ得る「撓み」を抑制する目的で保護棒１１のほぼ中央に設けられている。このため、中央取付座１６の、保護棒１１の軸方向長さは、このような撓みを十分に抑制可能な長さで、かつ前述したレンズ穴１１ｂの長手方向範囲を極力長く確保できる長さに設定されており、本実施形態では、端部取付座１５よりもやや短くなっている。
【００３１】
レンズ２１は、保護棒１１に内装されるＬＥＤユニット３０が発する光を外部に導くための光学部材で、前述したレンズ穴１１ｂから一部が露出するように、保護棒１１内に収容されている。そのため、ここからは、保護棒１１内に収容される、レンズ２１、ＬＥＤユニット３０、取付金具４１やＬアングル５１等の構成、つまり手摺り棒１０の内部構成を図３〜図６を参照しながら説明することとし、その中でレンズ２１の構成を詳述する。
【００３２】
なお、図４には、図３に示すIV−IV線矢視方向による断面図が図示されている。また図５には、レンズ２１、ＬＥＤユニット３０および取付金具４１の端部の構成例が図示されている。さらに図６には、ＬＥＤユニット３０等の組付手順を示す説明図が図示されている。なお、図３は、中央部分を含めた手摺り棒１０の上側ほぼ半分が図示されており、その下側が省略されていることに注意されたい。また図５（ｃ）には、ＬＥＤユニット３０からレンズ２１およびスポンジ４５を取り除いた構成が図示されていることに注意されたい。
【００３３】
まずは、図３（軸方向断面図）および図４（a）（径方向断面図）を主に参照して、手摺り棒１０の内部構成を説明する。保護棒１１の内部には、レンズ２１、ＬＥＤユニット３０、取付金具４１、ネジ座４３、スポンジ４５、角棒４７、Ｌアングル５１等が収容されており、前述した保護棒１１のレンズ穴１１ｂの側から、レンズ２１、スポンジ４５、ＬＥＤユニット３０、Ｌアングル５１の順に位置するように配置されている（図４（a）参照）。なお、角棒４７は、スポンジ４５とＬＥＤユニット３０のプリント基板３１との間に位置している（同図参照）。
【００３４】
また、図３に示すように、保護棒１１の端部、即ち開口部１１ａの付近には、前述した端部取付座１５をネジ締結するネジ座４３が配置されており、また保護棒１１のほぼ中央にも中央取付座１６をネジ締結するネジ座４３が同様に配置されている。これらのネジ座４３は、端部取付座１５や中央取付座１６を保護棒１１に固定する機能のほか、後述するように、取付金具４１の両端部に取り付けられることで、ネジ座４３を介してＬＥＤユニット３０を取付金具４１に取り付けたり、レンズ２１やＬＥＤユニット３０を保護棒１１に固定可能にしている。
【００３５】
ＬＥＤユニット３０は、プリント基板３１および複数のＬＥＤ（発光ダイオード）３３により構成されている。即ち、図３，図４および図６に示すように、ＬＥＤユニット３０は、保護棒１１内に収容可能な短冊形状に形成され外部から供給される電力によって複数のＬＥＤ３３を発光可能に電気的に配線したプリント基板３１と、このプリント基板３１に光源として列状に実装された複数のＬＥＤ３３とにより構成されている。なお、本実施形態では、後述するように、組付作業の容易化を考慮して、保護棒１１のほぼ中央で２分割し得るように、プリント基板３１を２枚に分けて構成しているが、これらを１枚のプリント基板で構成しても良い。
【００３６】
取付金具（支持部）４１は、複数のＬＥＤ３３が実装されていないＬＥＤユニット３０の非実装面側から当該ＬＥＤユニット３０のほぼ全面を支持し両面テープを介して固定する金属板である。この取付金具４１は、ＬＥＤ３３が発する熱を放熱する機能を有する放熱板でもある。本実施形態では、例えば、比較的に肉厚のアルミニウム板からなり、短手方向の断面が底板部４１ａおよび立壁部４１ｂからなるコ字形状（コ字チャネル形状）を形成するように、例えばプレス等による曲げ加工がされている。これにより、底板部４１ａと立壁部４１ｂとの境界部分である角部に丸味を持たせることができるため、後述する組付け工程において、Ｌアングル５１の挿入作業を容易にできる。なお、図５（a）に示すように、この取付金具４１の両端には、ネジ座４３に対してボルト４９によりネジ締結可能にする貫通孔４１ｄを備えた固定部４１ｃが形成されている。
【００３７】
図３，図４および図６に示すように、レンズ２１は、複数のＬＥＤ３３が実装されているＬＥＤユニット３０の実装面側、つまりＬＥＤ３３の出射側（出光側）を覆い得る長板形状に形成される板状の光学部材で、本実施形態では、透明度の低い乳白色を有するポリカーボネイト樹脂からなる。これにより、複数のＬＥＤ３３から発せられる光を拡散してほぼ均一に照射可能にしている。
【００３８】
即ち、図５に示すように、レンズ２１は、短手（幅）方向断面形状が凸字形状を有するように形成されており、角棒形状の導光部２１ｂが、長板形状の拡散部２１ａの長手（軸）方向に沿って延びて拡散部２１ａのほぼ中央に積み重なるように一体に形成されている（長手方向断面形状（図５(a)）、短手方向断面形状（図５(b)）。
【００３９】
拡散部２１ａの厚さ（高さ）は、後述するように、保護棒１１内にＬアングル５１が挿入されて保護棒１１への組付けが完了した場合に、保護棒１１の内周壁１１ｄに対して拡散部２１ａの角部が適度に当接または圧接する程度に設定されている（図８（ｃ）参照）。これに対し、導光部２１ｂの厚さ（高さ）は、保護棒１１への組付けが完了した場合に、導光部２１ｂの先端面が保護棒１１の開口部１１ａの開口面（図４に示す二点鎖線Ｋ）とほぼ面一になるように設定されている。これにより、保護棒１１の開口部１１ａに挿入されたレンズ２１の導光部２１ｂが開口部１１ａから突出したり窪んだりすることがないので、保護棒１１の外周壁１１ｅに凹凸を生じ難くしている。
【００４０】
図５(a)に示すように、レンズ２１の両端には、コバ部２１ｃが形成されており、このコバ部２１ｃに形成される貫通孔２１ｄを通るボルト（雄ネジ）４８を、ネジ座４３のタップ４３ｃにネジ締結することによって当該レンズ２１をネジ座４３にネジ締結可能にしている。これにより、レンズ２１は、図５(a)に示すように、ネジ座４３を介して取付金具４１にネジ止めされる。
【００４１】
ネジ座４３は、複数のタップ４３ｃ，４３ｄ，４３ｅを形成して、端部取付座１５や中央取付座１６、さらには取付金具４１等を保護棒１１に固定可能にする矩形状のブロック部材で、短手方向の断面形状の一部が保護棒１１の内周壁１１ｄの円弧形状とほぼ一致するように形成されている。また、ネジ座４３の一端側には、他の部分に対して矩形状の切欠部分をなす段差部４３ａが形成されている。この段差部４３ａは、前述したように、レンズ２１のコバ部２１ｃを取り付け可能にするもので、図５(b)に示すように、ネジ座４３の円弧形状部分が保護棒１１の内周壁１１ｄに当接したときに、前述のように、レンズ２１の拡散部２１ａの角部が内周壁１１ｄに当接または圧接し、また導光部２１ｂの先端面が保護棒１１の開口部１１ａの開口面とほぼ面一になるように、ネジ座４３の段差部４３ａの切欠深さ（段差の高さ）が設定されている。
【００４２】
図４(a)に示すように、スポンジ（弾性部材）４５は、例えば発泡ゴム（多孔質ゴム）からなり、取付金具４１の立壁部４１ｂとレンズ２１の拡散部２１ａとの間に介在することで、レンズ２１を開口部１１ａ側に押し出す機能を有するものである。本実施形態では、断面形状を矩形状に、かつ長さがレンズ２１の拡散部２１ａの全長とほぼ同様の長さに設定される棒状に形成されている。
【００４３】
なお、図４および図５では、レンズ２１と取付金具４１との間で押しつぶされてその断面が薄板状に変形しているが、図６に示すようにレンズ２１を組み付ける前や、後述するように保護棒１１内にＬアングル５１を挿入する前のレンズ２１等の軸方向ほぼ中央位置付近においては（図８(b)参照）、端部取付座１５や中央取付座１６のネジ締結により両端部が保護棒１１に固定されていても、レンズ２１と取付金具４１との間に介在するスポンジ４５は、つぶれた状態には至ることなく矩形状を維持している。
【００４４】
なお、本実施形態では、スポンジ４５の長さを拡散部２１ａのほぼ全長に設定したが、少なくともレンズ２１の長手方向ほぼ中央を押圧することが可能であれば、スポンジ４５の長さを拡散部２１ａよりも短く設定しても良い。また、レンズ２１の長手方向を不連続（複数箇所）に押圧可能にスポンジ４５を構成しても良い。さらにスポンジ４５に特有の作用・効果を要さない場合にはスポンジ４５は無くても良い。
【００４５】
図４(a)に示すように、角棒（緩衝部材）４７は、例えばポリカーボネイト樹脂からなり、取付金具４１の内側において、スポンジ４５とプリント基板３１の実装面側との間に介在することで、レンズ２１をＬＥＤユニット３０に組み付けた場合にスポンジ４５の反発力によりプリント基板３１を取付金具４１の底板部４１ａ側に押圧する機能を有するものである。これにより、プリント基板３１は取付金具４１の底板部４１ａ側に定常的に押されているため、プリント基板３１と取付金具４１との間でプリント基板３１を固定する両面テープの粘着力（接着力）が低下してもプリント基板３１が取付金具４１から剥がれないようにしている。
【００４６】
なお、本実施形態では、角棒４７の長さをプリント基板３１のほぼ全長に設定したが、少なくともプリント基板３１の両端とそのほぼ中央を押圧することが可能であれば、角棒４７の長さをプリント基板３１よりも短く設定し、不連続（複数箇所）に押圧するように構成しても良い。また角棒に限らず断面形状が楕円形状や円形状であっても良い。さらに角棒４７に特有の作用・効果を要しない場合には角棒４７は無くても良い。
【００４７】
このように構成される、レンズ２１、ＬＥＤユニット３０、取付金具４１、ネジ座４３、スポンジ４５および角棒４７は、図６に示すように、組み付けられる。即ち、取付金具４１にＬＥＤユニット３０を両面テープや接着剤等で接着した後、取付金具４１の両端にネジ座４３をボルト４９によりネジ締結して固定する。そして、ＬＥＤユニット３０のプリント基板３１上に角棒４７を配置しさらに取付金具４１の立壁部４１ｂ上に２本のスポンジ４５を配置した後、取付金具４１の長手方向に延びる開口部分を覆うようにレンズ２１を配置してレンズ２１の両端のコバ部２１ｃをボルト４８によりネジ座４３にネジ締結して固定する。これにより、レンズ２１、ＬＥＤユニット３０、取付金具４１、ネジ座４３、スポンジ４５および角棒４７が一体に構成されるため、後述するように、組付工程において、保護棒１１内に容易に収容可能となる。なお、以下、これら一体に組み付けられたレンズ２１、ＬＥＤユニット３０、取付金具４１、ネジ座４３、スポンジ４５および角棒４７を「一体ユニット２０」と呼ぶことにする。
【００４８】
図３および図４(a)に示すように、Ｌアングル（押圧部）５１は、このように構成される一体ユニット２０を収容した保護棒１１内で開口部１１ａ側に押圧する機能を有するもので、例えば、アルミニウムからなる押し出し成形により形成される規格品の棒状部材で、保護棒１１内に収容可能な長さ（例えば、キャップ１３をした保護棒１１内に区画形成される円筒空間の軸方向長さ相当）に設定されている。
【００４９】
このＬアングル５１のＬ字状をなす両辺の長さは、互いに等しく設定されており、一体ユニット２０を収容した保護棒１１内で取付金具４１の角部（底板部４１ａと立壁部４１ｂとの境界部分）がＬアングル５１の内壁面５１ｃに当接し得るように設定されている。またこの取付金具４１の角部は前述したように角張ることなく丸味を帯びている。
【００５０】
これにより、組付工程においてＬアングル５１が保護棒１１内で多少の位置ずれを生じても、Ｌアングル５１の内壁面５１ｃに沿って一体ユニット２０の位置を比較的容易に変えることができる。即ち、Ｌアングル５１の両辺の長さが短く設定されてＬ字状の両方の端部５１ｂ（例えば、図４(b)に示す端部５５ｂの如く）が取付金具４１の底板部４１ａの裏側（外側）に当接する場合に比べ、Ｌアングル５１の内壁面５１ｃに取付金具４１の丸味のある角部が当接する方が当接圧が低くなることから、一体ユニット２０の位置を容易に変更することができる。
【００５１】
また、断面形状がＬ字状をなし両辺の長さは等しく設定されていることから、保護棒１１の内周壁１１ｄに対して角部５１ａの１箇所で当接しかつ両側の端部５１ｂ方向にほぼ均一に押圧力を作用させることができる。このため、図４(b)に示すように、Ｌアングル５１に代えてコ字チャネル５５を用いたときに２箇所の角部５５ａで当接する場合と比べ、一体ユニット２０の位置を容易に変更することができる。
【００５２】
図４(b)に示すようなコ字チャネル５５を押圧部として用いる場合には、上述したように一体ユニット２０の位置変更がＬアングル５１を用いる場合に比べて難しくなるものの、その他の点においては、本願発明に特有の作用・効果を同様に奏する。以下、図７および図８を参照して、手摺り棒１０の組付工程における上記の作用・効果について詳細に説明する。
【００５３】
なお、図７には、手摺り棒１０の組付手順を示す説明図が図示されており、また図８には、手摺り棒１０の組付手順で図７に示すVIII−VIII線矢視方向による断面図が図示されている。この断面図は、図７に示すように、保護棒１１に組み付けられる一体ユニット２０のほぼ中央に位置するVIII−VIII線で切断したものである。
【００５４】
図７および図８に示すように、手摺り棒１０の組付工程において、その前工程で組み付けられた一体ユニット２０を開口部１１ａから挿入して保護棒１１内に収容した後（図８(a)）、貫通孔１１ｃを通したボルト１７によって端部取付座１５および中央取付座１６を保護棒１１内のネジ座４３にネジ締結することで保護棒１１に固定する（図８(b)）。
【００５５】
このとき、前述したように、端部取付座１５や中央取付座１６のネジ締結により一体ユニット２０の両端（ネジ座４３）が保護棒１１に固定されていても、レンズ２１と取付金具４１との間に介在するスポンジ４５は、つぶれた状態には至っていない。このため、この状態でレンズ２１の導光部２１ｂを保護棒１１の外側から押さえると、レンズ２１はスポンジ４５を押しつぶすことができるスポンジ４５のほぼ厚さ相当分だけ保護棒１１の内側に移動できることから、当該手摺り棒１０に手を掛けた利用者の手には、レンズ２１が内側に窪む（凹む）感覚を与え得る。また、場合によっては、内側に押されたレンズ２１が凹んだまま元に戻ることなく、意匠性を損なう事態も生じ得る。
【００５６】
このため、本実施形態では、図８(b)に示すように一体ユニット２０を収容した保護棒１１に対して、開口部１１ａからＬアングル５１を挿入して、一体ユニット２０の取付金具４１の底板部４１ａ側（非支持面側）からレンズ穴１１ｂの方向に押圧するようにした（図８(c)）。これにより、図８(b)に示すように、レンズ２１と取付金具４１との間に介在するスポンジ４５は、Ｌアングル５１による押圧により押しつぶされるため、レンズ２１の導光部２１ｂは外部から押されてもレンズ２１が保護棒１１の内側に移動することはない。つまり、導光部２１ｂは、保護棒１１のレンズ穴１１ｂに挿入された状態を維持することから、レンズ２１は保護棒１１の長手(軸)方向にも短手(径)方向にも移動不能に固定される。したがって、一体ユニット２０を保護棒１１内で固定することが可能となる。
【００５７】
そして、最後に、保護棒１１の開口部１１ａを閉塞するようにキャップ１３を開口部１１ａに取り付けることで手摺り棒１０が完成し本組付工程が終了する。このように組み付けられた手摺り棒１０は、例えば、図９に示すように、鉄道車両のデッキの壁ＷＬに端部取付座１５および中央取付座１６を介して取り付けられる。
【００５８】
以上説明したように、本実施形態に係る手摺り棒１０によると、保護棒１１内に収容された一体ユニット２０を取付金具４１の底板部４１ａ側からレンズ穴１１ｂの方向に押圧可能な棒形状に形成されるＬアングル５１を、保護棒１１の開口部１１ａから保護棒１１内に収容する。一体ユニット２０は、ＬＥＤユニット３０が取付金具４１に固定され、レンズ２１はＬＥＤユニット３０の出光側を覆うように取付金具４１に取り付けられていることから、これらが一体となって収容されている保護棒１１内に、Ｌアングル５１が開口部１１ａから挿入されると、このＬアングル５１によって取付金具４１の非支持面側からレンズ穴１１ｂの方向に押圧されるため、レンズ２１の導光部２１ｂが保護棒１１のレンズ穴１１ｂに挿入された状態を維持する。
【００５９】
これにより、レンズ２１は保護棒１１の長手(軸)方向にも短手(径)方向にも移動不能に固定されるため、一体に組み付けられている一体ユニット２０は保護棒１１内で固定される。つまり、棒形状に形成されるＬアングル５１を保護棒１１の開口部１１ａから挿入するだけで、先に保護棒１１内に収容された一体ユニット２０を容易に固定することが可能となる。したがって、保護棒１１内に溝レール等を形成することなく、簡素な構成で組付時の作業性を向上することができる。
【００６０】
また、保護棒１１やＬアングル５１には、一般に流通する規格品を用いているので、これらを成形するための金型等を用意する必要がない。このため、設備コストの増大を抑制することができる。
【００６１】
また、レンズ２１とＬＥＤユニット３０とは、保護棒１１に組み付けられる前工程で一体ユニット２０として組み付けられている。これにより、保護棒１１に組み付け固定される位置にかかわらずレンズ２１とその光源してのＬＥＤユニット３０の複数のＬＥＤ３３との位置関係には変動がない。このため、レンズと光源とを別々に保護棒１１内に組み付けた場合に比べて、両者の位置ずれによる焦点や光軸のズレ等といった光学的な不具合を防止することができる。
【００６２】
また、レンズ２１と取付金具４１との間にスポンジ４５を挟み込む構成にしたので、後から保護棒１１内に挿入するＬアングル５１がスポンジ４５に接触することがない。これにより、Ｌアングル５１の挿入の際に、スポンジ４５がＬアングル５１の挿入方向に抗する抵抗にならないため、スポンジ４５を損傷を与えることなく、Ｌアングル５１をスムースに挿入することができる。
【００６３】
また、本実施形態によると、レンズ２１は、長板状に形成される取付金具４１の両端に取り付け固定され、少なくともレンズ２１や取付金具４１の長手方向ほぼ中央において、レンズ２１と取付金具４１との間にスポンジ４５が介在する。これにより、レンズ２１と取付金具４１との間に隙間が形成されていても、取付金具４１の長手方向ほぼ中央において両者間にスポンジ４５が介在することから、Ｌアングル５１により一体ユニット２０がレンズ穴１１ｂの方向に押圧されると、このスポンジ４５は押しつぶされるように弾性変形して隙間を埋める。このため、例えば、手摺り棒１０の利用者の手がレンズ２１の導光部２１ｂに触れることにより、導光部２１ｂを保護棒１１の内側に押し込むような力が働いても、導光部２１ｂはレンズ穴１１ｂに挿入された状態を維持しながら、ガタつくこともない。したがって、導光部２１ｂが凸凹になり難いため、簡素な構成で組付時の作業性を向上できることに加えて、意匠性をも向上することができる。
【００６４】
さらに、本実施形態によると、Ｌアングル５１は、断面形状がＬ字形状をなす棒状のＬアングル部材であり、このＬアングル５１の角部５１ａが保護棒１１の内周壁１１ｄに当接するように開口部１１ａから挿入される。これにより、当該角部５１ａを中心にしてＬ字形状の端部５１ｂの内側で取付金具４１を押圧するため（図４(a)）、例えば断面形状がコ字形状をなす棒状部材で押圧する場合に比べて（図４(b)）、Ｌアングル５１の両方の端部５１ｂにほぼ均一な加圧力で取付金具４１をレンズ穴１１ｂの方向に押し出すことが可能となる。したがって、アンバランスに取付金具４１が押圧された場合に傾きがちな導光部２１ｂの傾きが抑制されるので、レンズ穴１１ｂに挿入される導光部２１ｂの向きを適正にでき、意匠性をさらに向上させることができる。
【００６５】
また、本実施形態によると、保護棒１１の長手方向長さに対して２分割するようにＬアングル５１の長手方向長さを構成したので、押圧部としてＬアングルの長さを半減させることが可能となる。これにより、保護棒１１の両端の開口部１１ａから２分割したＬアングル５１をそれぞれ挿入することによって、そのぶん挿入時の摩擦抵抗を軽減させることが可能となる。したがって、簡素な構成で組付時の作業性を一層向上することができる。
【００６６】
また、本実施形態によると、レンズ２１とＬＥＤユニット３０との間には、レンズ２１がＬＥＤユニット３０のプリント基板３１を間接的に押圧し得る角棒４７が介在している。これにより、レンズ２１が角棒４７を介してプリント基板３１を取付金具４１側に押圧しているので、取付金具４１によるＬＥＤユニット３０の固定が多少緩んでもＬＥＤユニット３０が取付金具４１から外れるのを抑制可能となる。また、角棒４７を介在させることによりＬＥＤユニット３０を押さえる突起や凸部等をレンズ２１に設ける必要がない。
したがって、ＬＥＤユニット３０の金型による設備コストを低減することも可能となる。
【００６７】
また、本実施形態によると、レンズ２１の導光部２１ｂは、その先端面がレンズ穴１１ｂの開口面に対してほぼ面一になるようにレンズ穴１１ｂに挿入されている。これにより、レンズ穴１１ｂに挿入された導光部２１ｂがレンズ穴１１ｂから突出したり窪んだりすることがないので、保護棒１１の外周壁１１ｅに凹凸ができ難い。したがって、当該手摺り棒１０に手を掛けた利用者に対して凹凸による違和感を与え難くすることができ、また意匠性も一層向上させることができる。
【００６８】
なお、上述した実施形態では、レンズ２１と取付金具４１との間に介在する弾性部材としてスポンジ４５を用いたが、これに限られることはなく、例えば、合成ゴムや天然ゴムさらにはレンズ２１と取付金具４１との間に収容可能なコイルバネや板バネ等でも良い。
【００６９】
また、上述した実施形態では、保護棒１１に形成されるレンズ穴１１ｂを線条の長穴状に設定したが、これに限られることはなく、保護棒１１の内外を連通する穴であれば、例えば、丸穴や角穴等を列状や千鳥足状に並べたものであっても良い。
【００７０】
また、上述した実施形態では、レンズ２１として乳白色を有する拡散機能が高いものを用いたが、光学部材であれば、これに限られることはなく、例えば、集光レンズ、発散レンズ、シリンドリカルレンズやフレネルレンズ等であっても良い。
【符号の説明】
【００７１】
１０…手摺り棒（照明装置）
１１…保護棒（本体部）
１１ａ…開口部
１１ｂ…レンズ穴（透光穴）
１３…キャップ
１５…端部取付座
１６…中央取付座
２０…一体ユニット
２１…レンズ（光学部材）
２１ａ…拡散部
２１ｂ…導光部（導光凸部）
３０…ＬＥＤユニット（光源ユニット）
３１…プリント基板
３３…ＬＥＤ
４１…取付金具（支持部）
４３…ネジ座
４５…スポンジ（弾性部材）
４７…角棒（緩衝部材）
５１…Ｌアングル（押圧部、Ｌアングル部材）
５１ａ…角部
５１ｂ…端部
５１ｃ…内壁面
【図１】
0005534203.tif 000002
【図２】
0005534203.tif 000003
【図３】
0005534203.tif 000004
【図４】
0005534203.tif 000005
【図５】
0005534203.tif 000006
【図６】
0005534203.tif 000007
【図７】
0005534203.tif 000008
【図８】
0005534203.tif 000009
【図９】
0005534203.tif 000010